(57)【要約】【課題】拡散光学系をより簡便な構成で実現しつつ、スペクトルに係る情報をより高精度に取得することができる。【解決手段】ステージ１０２は、試料を載置し、撮影領域に該試料を順次提示する。光源１０４は、試料を照明する。対物レンズ１０５と、ハーフミラー１０６と、ピンホール１０８と、結像レンズ１０９とは、試料の全体領域に含まれる第１の領域の像を第１の平面に結像させ、第１の領域に含まれる第２の領域からの光を拡散して第２の平面に導入させる。撮像素子１０７は、第１の平面に結像された像を撮像し、第１の領域の像の画像データを取得する。カラーセンサ１１０が備える複数の受光素子は、第２の平面に導入された光のスペクトルに係る情報を出力する。補正処理部は、複数の受光素子に導入された光のムラを緩和するように当該受光素子が出力するスペクトルに係る情報の補正処理を行う。【選択図】図１
2013246045.tif 000002
【特許請求の範囲】
【請求項１】
試料を載置し、撮影領域に該試料を順次提示するステージと、
前記試料を照明する光源と、
前記試料の全体領域に含まれる第１の領域の像を第１の平面に結像させ、前記第１の領域に含まれる第２の領域からの光を拡散して第２の平面に導入させる光学系と、
前記第１の平面に結像された像を撮像し、前記第１の領域の像の画像データを取得する撮像素子と、
前記第２の平面に導入された光のスペクトルに係る情報を出力する複数の受光素子と、
複数の前記受光素子に導入された前記光のムラを緩和するように当該受光素子が出力する前記スペクトルに係る情報の補正処理を行う補正処理部と、
を備えることを特徴とするバーチャルスライド装置。
【請求項２】
前記補正処理部は、前記補正処理として、複数の前記受光素子が出力する前記スペクトルに係る情報の加算平均を行う
ことを特徴とする請求項１に記載のバーチャルスライド装置。
【請求項３】
前記補正処理部は、前記補正処理として、複数の前記受光素子が出力する前記スペクトルに係る情報の平滑化処理を行う
ことを特徴とする請求項１に記載のバーチャルスライド装置。
【請求項４】
前記光学系は、前記第２の領域からの光を前記第２の平面に導入させる光路上に拡散光学系を有する
ことを特徴とする請求項１に記載のバーチャルスライド装置。
【請求項５】
複数の前記受光素子の各々は、異なる波長の光を透過するカラーフィルタを有し、
前記カラーフィルタは、前記第２の平面上での光のムラに対応するよう配置されている
ことを特徴とする請求項１に記載のバーチャルスライド装置。
【請求項６】
前記拡散光学系は、結像光学系である
ことを特徴とする請求項４に記載のバーチャルスライド装置。
【請求項７】
前記拡散光学系は、拡散板である
ことを特徴とする請求項４に記載のバーチャルスライド装置。
【請求項８】
前記拡散光学系は、ライトパイプである
ことを特徴とする請求項４に記載のバーチャルスライド装置。
【請求項９】
前記拡散光学系は、フライアイレンズ光学系である
ことを特徴とする請求項４に記載のバーチャルスライド装置。
【請求項１０】
前記拡散光学系は、光ファイバである
ことを特徴とする請求項４に記載のバーチャルスライド装置。
【発明の詳細な説明】
【技術分野】
【０００１】
本発明は、バーチャルスライド装置に関する。
【背景技術】
【０００２】
病理標本のスライド画像をデジタル撮影するバーチャルスライド装置において、色再現性を向上させる技術が特許文献１に記載されている。以下、特許文献１に記載のバーチャルスライド装置について説明する。
【０００３】
図１３は、従来知られているバーチャルスライド装置１０００の構成を示した概略図である。図示する例では、バーチャルスライド装置１０００は、光源１００１と、ステージ１００３と、対物レンズ１００４と、ハーフミラー１００５と、撮像カメラ１００６と、ピンホール１００７と、拡散光学系１００８と、カラーセンサ１００９とを備えている。
【０００４】
光源１００１の光は、ステージ１００３の上に配置されたサンプル１００２を透過して、対物レンズ１００４を透過して、ハーフミラー１００５で分岐し、一方はピンホール１００７に入射する。ピンホール１００７は、入射された光のうち、スペクトル情報を取得する視野の光を通して拡散光学系１００８に入射する。拡散光学系１００８は、入射された光を拡散してカラーセンサ１００９に入射する。また、ハーフミラー１００５で分岐したもう一方の光は、撮像カメラ１００６に入射する。
【０００５】
撮像カメラ１００６は、一般的にＲＧＢの光を検出する３バンドのカメラである。また、カラーセンサ１００９は、一般的に撮像カメラ１００６よりも検出する光の数（３バンド）よりも多い。そのため、撮像カメラ１００６が撮像したサンプル１００２の画像にカラーセンサ１００９が取得したスペクトル情報を付加することで、色再現性を向上することができる。
【先行技術文献】
【特許文献】
【０００６】
【特許文献１】特開２０１１−９９８２３号公報
【発明の概要】
【発明が解決しようとする課題】
【０００７】
しかしながら、特許文献１に記載のバーチャルスライド装置１０００では次のような課題がある。図１４は、従来知られているバーチャルスライド装置１０００が備えるカラーセンサ１００９に入射される光の明るさのムラを示した概略図である。図１４（１）に示す例では、カラーセンサ１００９の中心部分から外側に向かって領域２１０１〜２１０４が示されている。また、領域２１０１から領域２１０４の順に、入射される光が暗くなっている。すなわち、領域２１０１に入射される光が一番明るく、領域２１０４に入射される光が一番暗い。また、図１４（２）に示す例では、カラーセンサ１００９の図中左部分から図中右部分に向かって領域２１０５〜２１０７が示されている。また、領域２１０５から領域２１０７の順に、入射される光が暗くなっている。すなわち、領域２１０５に入射される光が一番明るく、領域２１０７に入射される光が一番暗い。このムラを拡散光学系１００８で均一にすることが考えられるが、拡散光学系１００８が複雑になったり、拡散光学系１００８を拡散効果の高い材質で生成しなければならない。そのため、スペクトルに係る情報をより高精度に取得する場合、拡散光学系１００８が大型化してしまうという問題がある。
【０００８】
本発明は上記の問題を解決するためになされたものであり、拡散光学系をより簡便な構成で実現しつつ、スペクトルに係る情報をより高精度に取得することができるバーチャルスライド装置を提供することを目的とする。
【課題を解決するための手段】
【０００９】
本発明は、試料を載置し、撮影領域に該試料を順次提示するステージと、前記試料を照明する光源と、前記試料の全体領域に含まれる第１の領域の像を第１の平面に結像させ、前記第１の領域に含まれる第２の領域からの光を拡散して第２の平面に導入させる光学系と、前記第１の平面に結像された像を撮像し、前記第１の領域の像の画像データを取得する撮像素子と、前記第２の平面に導入された光のスペクトルに係る情報を出力する複数の受光素子と、複数の前記受光素子に導入された前記光のムラを緩和するように当該受光素子が出力する前記スペクトルに係る情報の補正処理を行う補正処理部と、を備えることを特徴とするバーチャルスライド装置である。
【００１０】
また、本発明のバーチャルスライド装置において、前記補正処理部は、前記補正処理として、複数の前記受光素子が出力する前記スペクトルに係る情報の加算平均を行うことを特徴とする。
【００１１】
また、本発明のバーチャルスライド装置において、前記補正処理部は、前記補正処理として、複数の前記受光素子が出力する前記スペクトルに係る情報の平滑化処理を行うことを特徴とする。
【００１２】
また、本発明のバーチャルスライド装置において、前記光学系は、前記第２の領域からの光を前記第２の平面に導入させる光路上に拡散光学系を有することを特徴とする。
【００１３】
また、本発明のバーチャルスライド装置において、複数の前記受光素子の各々は、異なる波長の光を透過するカラーフィルタを有し、前記カラーフィルタは、前記第２の平面上での光のムラに対応するよう配置されていることを特徴とする。
【００１４】
また、本発明のバーチャルスライド装置において、前記拡散光学系は、結像光学系であることを特徴とする。
【００１５】
また、本発明のバーチャルスライド装置において、前記拡散光学系は、拡散板であることを特徴とする。
【００１６】
また、本発明のバーチャルスライド装置において、前記拡散光学系は、ライトパイプであることを特徴とする。
【００１７】
また、本発明のバーチャルスライド装置において、前記拡散光学系は、フライアイレンズ光学系であることを特徴とする。
【００１８】
また、本発明のバーチャルスライド装置において、前記拡散光学系は、光ファイバであることを特徴とする。
【発明の効果】
【００１９】
本発明によれば、拡散光学系をより簡便な構成で実現しつつ、スペクトルに係る情報をより高精度に取得することができる。
【図面の簡単な説明】
【００２０】
【図１】本発明の第１の実施形態におけるバーチャルスライド装置の構成を示した概略図である。
【図２】本発明の第１の実施形態におけるカラーセンサの構成を示した概略図である。
【図３】本発明の第１の実施形態におけるカラーセンサの構成を示した概略図である。
【図４】本発明の第１の実施形態におけるカラーセンサに入射される既知の光源の光の明るさのムラの一例を示した概略図である。
【図５】本発明の第１の実施形態における補正値記憶部が記憶する補正値の例を示した概略図である。
【図６】本発明の第１の実施形態におけるカラーセンサに入射される既知の光源の光の明るさのムラの一例を示した概略図である。
【図７】本発明の第１の実施形態における補正値記憶部が記憶する補正値の例を示した概略図である。
【図８】本発明の第１の実施形態において、事前に補正値を算出する際に用いるカラーチャートを示した概略図である。
【図９】本発明の第２の実施形態におけるバーチャルスライド装置の構成を示した概略図である。
【図１０】本発明の第３の実施形態におけるバーチャルスライド装置の構成を示した概略図である。
【図１１】本発明の第４の実施形態におけるバーチャルスライド装置の構成を示した概略図である。
【図１２】本発明の第５の実施形態におけるバーチャルスライド装置の構成を示した概略図である。
【図１３】従来知られているバーチャルスライド装置の構成を示した概略図である。
【図１４】従来知られているバーチャルスライド装置が備えるカラーセンサに入射される光の明るさのムラを示した概略図である。
【発明を実施するための形態】
【００２１】
（第１の実施形態）
以下、本発明の第１の実施形態について図面を参照して説明する。図１は、本実施形態におけるバーチャルスライド装置１の構成を示した概略図である。図示する例では、バーチャルスライド装置１は、ステージ１０２と、ステージ駆動部１０３と、光源１０４と、対物レンズ１０５と、ハーフミラー１０６と、撮像素子１０７と、ピンホール１０８と、結像レンズ１０９（結像光学系、拡散光学系）と、カラーセンサ１１０と、撮像制御部１１１と、ムラ補正部１１２（補正処理部）と、補正値記憶部１１３と、貼り合わせ情報生成部１１４と、画像ファイル生成部１１５とを備える。なお、例えば、対物レンズ１０５と、ハーフミラー１０６と、ピンホール１０８と、結像レンズ１０９とが、請求項に係る光学系に相当する。
【００２２】
ステージ１０２は、スライドガラス上にサンプル１０１を載置した試料を載置するための台である。ステージ駆動部１０３は、撮像制御部１１１の制御に基づいて、ステージ１０２を、撮像素子１０７の撮像面と水平な方向及び垂直な方向（三次元方向）に駆動させる。光源１０４は、サンプル１０１を照射する光を発生する。
【００２３】
対物レンズ１０５は、サンプル１０１の部分領域（第１の領域）の画像（部分画像）を拡大して撮像するために用いる対物レンズである。また、対物レンズ１０５は、サンプル１０１に対向するように配置されており、サンプル１０１の所定領域からの光束を集光させ、集光させた光をハーフミラー１０６に対して照射する。ハーフミラー１０６は、対物レンズ１０５からの光の一部をピンホール１０８の方向に反射し、一部を透過する。
【００２４】
撮像素子１０７は、ハーフミラー１０６が透過した光を受光する位置に配置され、受光した光の強度に応じた電気信号に光電変換することで画像を撮像し、画像データを取得する。撮像素子１０７に入射する光はサンプル１０１の部分領域の光であるため、撮像素子１０７が取得する画像データはサンプル１０１の部分領域（第１の領域）の画像データである。なお、撮像素子１０７は、ベイヤ配列のカラーフィルタを備えている。これにより、撮像素子１０７が有する画素のうち、赤色の光を透過するカラーフィルタが配置された画素（Ｒ画素）は赤色の光を検出する。また、撮像素子１０７が有する画素のうち、緑色の光を透過するカラーフィルタが配置された画素（Ｇ画素）は緑色の光を検出する。また、撮像素子１０７が有する画素のうち、青色の光を透過するカラーフィルタが配置された画素（Ｂ画素）は青色の光を検出する。
【００２５】
ピンホール１０８は、ハーフミラー１０６とカラーセンサ１１０との間に配置されており、ハーフミラー１０６からの光のうち、一部の領域の光を遮り、一部の領域（第２の領域）の光を透過する。ピンホール１０８を透過した光は、結像レンズ１０９に入射する。結像レンズ１０９は、入射した光を拡散してカラーセンサ１１０の受光面に結像する。この構成により、カラーセンサ１１０の視野範囲は第２の領域となる。
【００２６】
カラーセンサ１１０は、サンプル１０１からの光のうち、ピンホール１０８を透過して結像レンズ１０９に結像された光のスペクトル情報（スペクトルに係る情報）を検出する。すなわち、カラーセンサ１１０は、第２の領域のスペクトル情報を検出する。なお、第２の領域は、第１の領域に含まれる領域である。撮像制御部１１１は、ステージ駆動部１０３と、対物レンズ１０５と、撮像素子１０７と、カラーセンサ１１０との制御を行い、サンプル１０１の第１の領域の画像データおよび第２の領域のスペクトル情報を取得する。具体的には、撮像制御部１１１は、ステージ駆動部１０３を制御してステージ１０２を移動させながら撮像素子１０７が画像を撮影し、同時にカラーセンサ１１０がスペクトル情報を取得するように制御する。なお、撮像制御部１１１は、タイリング間ののりしろができるようにステージ１０２（サンプル１０１）を移動しながら撮像素子１０７が画像（部分画像）を撮像するように制御する。
【００２７】
ムラ補正部１１２は、カラーセンサ１１０が取得したスペクトル情報のムラを補正する。補正方法については後述する。補正値記憶部１１３は、予め算出された補正値を記憶する。補正値については後述する。貼り合わせ情報生成部１１４は、撮像素子１０７が撮像した複数枚の部分画像それぞれに対して隣接する部分画像を認識し、さらに、隣接する部分画像同士ののりしろ部を認識し、認識した結果に基づいて全ての部分画像を貼り合わせて一枚の全体画像を生成するために用いる貼り合わせ情報を生成する。
【００２８】
画像ファイル生成部１１５は、ムラ補正部１１２がムラを補正したスペクトル情報に基づいて、撮像素子１０７が撮像した部分画像の色補正を行う。また、画像ファイル生成部１１５は、貼り合わせ情報生成部１１４が生成した貼り合わせ情報に基づいて、色補正を行った全ての部分画像を貼り合わせて一枚のサンプル画像を生成する。なお、画像ファイル生成部１１５は、貼り合わせ情報生成部１１４が生成した貼り合わせ情報に基づいて、部分画像を貼り合わせて一枚のサンプル画像を生成した後に、色補正を行ってもよい。
【００２９】
次に、カラーセンサ１１０の構成について説明する。図２および図３は、本実施形態におけるカラーセンサ１１０の構成を示した概略図である。図２に示す例では、カラーセンサ１１０は、複数のカラーフィルタ１１０１と複数の受光素子１１０２とを備えている。また、結像レンズ１０９に結像された光は、各カラーフィルタ１１０１を透過して受光素子１１０２に入射している。カラーフィルタ１１０１は、入射された光のうち、所定の波長の光を透過する。受光素子１１０２は、受光した光の強度に応じた信号（スペクトル信号、スペクトルに係る情報）を出力する。
【００３０】
図３（１）は、本実施形態におけるカラーセンサ１１０が備えるカラーフィルタ１１０１−１〜１１０１−１６の配置を示した概略図である。図示する例では、カラーセンサ１１０には、４つのカラーフィルタ群１２０１−１〜１２０１−４が配置されている。また、各カラーフィルタ群１２０１−１〜１２０１−４には、４列×４行の計１６個のカラーフィルタ１１０１−１〜１１０１−１６が配置されている。各カラーフィルタ１１０１−１〜１１０１−１６は、それぞれ透過帯域が異なる。すなわち、各カラーフィルタ１１０１−１〜１１０１−１６は、光のムラに対応するよう配置されている。例えば、各カラーフィルタ１１０１−１〜１１０１−１６は、同一のカラーフィルタ１１０１−１〜１１０１−１６が配置された受光素子１１０２の出力毎に加算平均すると、光のムラが解消するように配置されている。
【００３１】
図３（２）は、本実施形態における受光素子１１０２の配置を示した概略図である。図示する例では、カラーセンサ１１０には４８列×４８行の計２３０４個の受光素子１１０２が配置されている。
【００３２】
図３（３）は、本実施形態におけるカラーフィルタ１１０１−１〜１１０１−１６と、受光素子１１０２との配置関係について示した概略図である。図示する例では、６列×６行の計３６個の受光素子１１０２の上に、１つのカラーフィルタ１１０１−１〜１１０１−１６が配置されている。この構成により、各受光素子１１０２は、カラーフィルタ１１０１−１〜１１０１−１６を透過した光の強度に応じたスペクトル信号を出力することができる。
【００３３】
次に、カラーセンサ１１０が取得したスペクトル情報のムラの補正方法について説明する。ムラ補正部１１２は、カラーセンサ１１０に含まれる、カラーフィルタ１１０１−１〜１１０１−１６が配置された受光素子１１０２の出力を、同一のカラーフィルタ１１０１−１〜１１０１−１６が配置された受光素子１１０２の出力毎に加算平均する。
【００３４】
具体的には、ムラ補正部１１２は、カラーフィルタ群１２０１−１に含まれる、カラーフィルタ１１０１−１が配置された受光素子１１０２の出力と、カラーフィルタ群１２０１−２に含まれる、カラーフィルタ１１０１−１が配置された受光素子１１０２の出力と、カラーフィルタ群１２０１−３に含まれる、カラーフィルタ１１０１−１が配置された受光素子１１０２の出力と、カラーフィルタ群１２０１−４に含まれる、カラーフィルタ１１０１−１が配置された受光素子１１０２の出力とを加算平均する。なお、ムラ補正部１１２は、カラーフィルタ１１０１−２〜１１０１−１６が配置された受光素子１１０２の出力についても同様に加算平均する。これにより、ムラ補正部１１２は、結像レンズ１０９のムラを補正したスペクトル情報を取得することができる。
【００３５】
なお、カラーセンサ１１０が取得したスペクトル情報のムラの補正方法はこれに限らず、どのような方法を用いてもよい。例えば、事前に、カラーセンサ１１０に既知の光源の光を入射してカラーセンサ１１０の出力値を取得し、このときのムラに基づいた補正値を予め算出して補正値記憶部１１３に記憶させる。そして、ムラ補正部１１２は、カラーセンサ１１０が取得したサンプル１０１のスペクトル情報に、補正値記憶部１１３が予め記憶している補正値を掛け合わせることで、カラーセンサ１１０が取得したスペクトル情報のムラを補正するようにしてもよい。すなわち、ムラ補正部１１２は、カラーセンサ１１０が取得したサンプル１０１のスペクトル情報の平滑化処理を行うことで、カラーセンサ１１０が取得したスペクトル情報のムラを補正するようにしてもよい。
【００３６】
図４は、本実施形態におけるカラーセンサ１１０に入射される既知の光源の光の明るさのムラの一例を示した概略図である。図示する例では、カラーセンサ１１０の中心部分から外側に向かって領域２０１〜２０４が示されている。また、領域２０１から領域２０４の順に、入射される光が暗くなっている。すなわち、領域２０１に入射される光が一番明るく、領域２０４に入射される光が一番暗い。そこで、このときのカラーセンサ１１０の出力値を取得して、このときのムラに基づいた補正値を予め算出し、補正値記憶部１１３に予め記憶させる。
【００３７】
図５は、本実施形態における補正値記憶部１１３が記憶する補正値の例を示した概略図である。図示する例では、領域２０１の補正値は０．７であり、領域２０２の補正値は０．８であり、領域２０３の補正値は１．０であり、領域２０４の補正値は１．２である。上述したように、ムラ補正部１１２は、補正値記憶部１１３が記憶する補正値を用いてカラーセンサ１１０の出力値を補正する。これにより、カラーセンサ１１０に入射される光の明るさのムラが解消される。
【００３８】
図６は、本実施形態におけるバーチャルスライド装置１が備えるカラーセンサ１１０に入射される既知の光源の光の明るさのムラの一例を示した概略図である。図示する例では、カラーセンサの図中左部分から外側に向かって領域３０１〜３０３が示されている。また、領域３０１から領域３０３の順に、入射される光が暗くなっている。すなわち、領域３０１に入射される光が一番明るく、領域３０３に入射される光が一番暗い。そこで、このときのカラーセンサ１１０の出力値を取得して、このときのムラに基づいた補正値を予め算出し、補正値記憶部１１３に予め記憶させる。
【００３９】
図７は、本実施形態における補正値記憶部１１３が記憶する補正値の例を示した概略図である。図示する例では、領域３０１の補正値は０．８であり、領域３０２の補正値は１．０であり、領域３０３の補正値は１．２である。上述したように、ムラ補正部１１２は、補正値記憶部１１３が記憶する補正値を用いてカラーセンサ１１０の出力値を補正する。これにより、カラーセンサ１１０に入射される光の明るさのムラが解消される。
【００４０】
また、例えば、事前に、カラーセンサ１１０に既知のカラーチャートを透過した光を入射してカラーセンサ１１０の出力値を取得し、このときのムラに基づいた補正値を予め算出して補正値記憶部１１３に記憶させる。そして、ムラ補正部１１２は、カラーセンサ１１０が取得したサンプル１０１のスペクトル情報に、補正値記憶部１１３が予め記憶している補正値を掛け合わせることで、カラーセンサ１１０が取得したスペクトル情報のムラを補正するようにしてもよい。
【００４１】
図８は、本実施形態において、事前に補正値を算出する際に用いるカラーチャートを示した概略図である。図８（１）は、複数種類のカラーフィルタが配置されたカラーチャート８０１を示している。図８（２）は、ある１種類のカラーフィルタが配置されたカラーチャート８０２を示している。図８（３）は、色がないカラーチャート８０３を示している。
【００４２】
上述したとおり、本実施形態によれば、ムラ補正部１１２は、カラーセンサ１１０が取得したスペクトル情報のムラを補正する。また、画像ファイル生成部１１５は、ムラ補正部１１２がムラを補正したスペクトル情報に基づいて、撮像素子１０７が撮像した部分画像の色補正を行う。これにより、結像レンズ１０９による光の拡散にムラがあったばあいにおいても、スペクトル情報をより高精度に取得することができる。従って、拡散光学系である結像レンズ１０９の構成をより簡便な構成としても、スペクトル情報をより高精度に取得して画像の色再現性を向上することができる。
【００４３】
（第２の実施形態）
次に、本発明の第２の実施形態について説明する。第１の実施形態におけるバーチャルスライド装置１と本実施形態におけるバーチャルスライド装置とで異なる点は、本実施形態におけるバーチャルスライド装置は、カラーセンサ１１０の前面に結像レンズ１０９の代わりに拡散板２０９を配置している点である。図９は、本実施形態におけるバーチャルスライド装置２の構成を示した概略図である。図示する例では、バーチャルスライド装置２は、ステージ１０２と、ステージ駆動部１０３と、光源１０４と、対物レンズ１０５と、ハーフミラー１０６と、撮像素子１０７と、ピンホール１０８と、カラーセンサ１１０と、撮像制御部１１１と、ムラ補正部１１２と、補正値記憶部１１３と、貼り合わせ情報生成部１１４と、画像ファイル生成部１１５と、拡散板２０９（拡散光学系）を備える。なお、例えば、対物レンズ１０５と、ハーフミラー１０６と、ピンホール１０８と、拡散板２０９とが、請求項に係る光学系に相当する。
【００４４】
ステージ１０２と、ステージ駆動部１０３と、光源１０４と、対物レンズ１０５と、ハーフミラー１０６と、撮像素子１０７と、ピンホール１０８と、カラーセンサ１１０と、撮像制御部１１１と、ムラ補正部１１２と、補正値記憶部１１３と、貼り合わせ情報生成部１１４と、画像ファイル生成部１１５とは、第１の実施形態における各部と同様である。拡散板２０９は、入射した光を拡散して（均一に混ぜて）カラーセンサ１１０の受光面に導入する。この構成により、カラーセンサ１１０の視野範囲は第２の領域となる。
【００４５】
なお、拡散板２０９は、拡散度を大きくして光を均一に混ぜようとすると光の透過率が低くなり、カラーセンサ１１０で受光できる光の量も少なくなってしまう。この場合、正確なスペクトル情報を取得するのに十分なカラーセンサ１１０の出力を得られなくなる。
【００４６】
しかしながら、本実施形態によれば、ムラ補正部１１２は、カラーセンサ１１０が取得したスペクトル情報のムラを補正する。また、画像ファイル生成部１１５は、ムラ補正部１１２がムラを補正したスペクトル情報に基づいて、撮像素子１０７が撮像した部分画像の色補正を行う。これにより、拡散板２０９の拡散度が小さく、拡散板２０９による光の拡散にムラがあったばあいにおいても、スペクトル情報をより高精度に取得することができる。従って、拡散光学系である拡散板２０９の構成をより簡便な構成としても、スペクトル情報をより高精度に取得して画像の色再現性を向上することができる。
【００４７】
（第３の実施形態）
次に、本発明の第３の実施形態について説明する。第１の実施形態におけるバーチャルスライド装置１と本実施形態におけるバーチャルスライド装置とで異なる点は、本実施形態におけるバーチャルスライド装置は、カラーセンサ１１０の前面に結像レンズ１０９の代わりにライトパイプ３０９を配置している点である。
【００４８】
図１０は、本実施形態におけるバーチャルスライド装置３の構成を示した概略図である。図示する例では、バーチャルスライド装置３は、ステージ１０２と、ステージ駆動部１０３と、光源１０４と、対物レンズ１０５と、ハーフミラー１０６と、撮像素子１０７と、ピンホール１０８と、カラーセンサ１１０と、撮像制御部１１１と、ムラ補正部１１２と、補正値記憶部１１３と、貼り合わせ情報生成部１１４と、画像ファイル生成部１１５と、ライトパイプ３０９（拡散光学系）を備える。なお、例えば、対物レンズ１０５と、ハーフミラー１０６と、ピンホール１０８と、ライトパイプ３０９とが、請求項に係る光学系に相当する。
【００４９】
ステージ１０２と、ステージ駆動部１０３と、光源１０４と、対物レンズ１０５と、ハーフミラー１０６と、撮像素子１０７と、ピンホール１０８と、カラーセンサ１１０と、撮像制御部１１１と、ムラ補正部１１２と、補正値記憶部１１３と、貼り合わせ情報生成部１１４と、画像ファイル生成部１１５とは、第１の実施形態における各部と同様である。ライトパイプ３０９は、入射した光を拡散して（均一に混ぜて）カラーセンサ１１０の受光面に導入する。この構成により、カラーセンサ１１０の視野範囲は第２の領域となる。
【００５０】
なお、ライトパイプ３０９は、拡散度を大きくして光を均一に混ぜようとすると、ライトパイプ３０９の長さが長くなる。しかしながら、本実施形態によれば、ムラ補正部１１２は、カラーセンサ１１０が取得したスペクトル情報のムラを補正する。また、画像ファイル生成部１１５は、ムラ補正部１１２がムラを補正したスペクトル情報に基づいて、撮像素子１０７が撮像した部分画像の色補正を行う。これにより、ライトパイプ３０９の長さが短く、ライトパイプ３０９による光の拡散にムラがあったばあいにおいても、スペクトル情報をより高精度に取得することができる。従って、拡散光学系であるライトパイプ３０９の構成をより簡便な構成としても、スペクトル情報をより高精度に取得して画像の色再現性を向上することができる。
【００５１】
（第４の実施形態）
次に、本発明の第４の実施形態について説明する。第１の実施形態におけるバーチャルスライド装置１と本実施形態におけるバーチャルスライド装置とで異なる点は、本実施形態におけるバーチャルスライド装置は、カラーセンサ１１０の前面に結像レンズ１０９の代わりにフライアイレンズ光学系４０９を配置している点である。
【００５２】
図１１は、本実施形態におけるバーチャルスライド装置４の構成を示した概略図である。図示する例では、バーチャルスライド装置４は、ステージ１０２と、ステージ駆動部１０３と、光源１０４と、対物レンズ１０５と、ハーフミラー１０６と、撮像素子１０７と、ピンホール１０８と、カラーセンサ１１０と、撮像制御部１１１と、ムラ補正部１１２と、補正値記憶部１１３と、貼り合わせ情報生成部１１４と、画像ファイル生成部１１５と、フライアイレンズ光学系４０９（拡散光学系）を備える。なお、例えば、対物レンズ１０５と、ハーフミラー１０６と、ピンホール１０８と、フライアイレンズ光学系４０９とが、請求項に係る光学系に相当する。
【００５３】
ステージ１０２と、ステージ駆動部１０３と、光源１０４と、対物レンズ１０５と、ハーフミラー１０６と、撮像素子１０７と、ピンホール１０８と、カラーセンサ１１０と、撮像制御部１１１と、ムラ補正部１１２と、補正値記憶部１１３と、貼り合わせ情報生成部１１４と、画像ファイル生成部１１５とは、第１の実施形態における各部と同様である。フライアイレンズ光学系４０９は、入射した光を拡散して（均一に混ぜて）カラーセンサ１１０の受光面に導入する。この構成により、カラーセンサ１１０の視野範囲は第２の領域となる。
【００５４】
なお、フライアイレンズ光学系４０９は、拡散度を大きくして光を均一に混ぜようとすると、フライアイレンズ光学系４０９のアレイ数が多くなる。しかしながら、本実施形態によれば、ムラ補正部１１２は、カラーセンサ１１０が取得したスペクトル情報のムラを補正する。また、画像ファイル生成部１１５は、ムラ補正部１１２がムラを補正したスペクトル情報に基づいて、撮像素子１０７が撮像した部分画像の色補正を行う。これにより、フライアイレンズ光学系４０９のアレイ数が少なく、フライアイレンズ光学系４０９による光の拡散にムラがあったばあいにおいても、スペクトル情報をより高精度に取得することができる。従って、拡散光学系であるフライアイレンズ光学系４０９の構成をより簡便な構成としても、スペクトル情報をより高精度に取得して画像の色再現性を向上することができる。
【００５５】
（第５の実施形態）
次に、本発明の第５の実施形態について説明する。第１の実施形態におけるバーチャルスライド装置１と本実施形態におけるバーチャルスライド装置とで異なる点は、本実施形態におけるバーチャルスライド装置は、カラーセンサ１１０の前面に結像レンズ１０９の代わりに光ファイバ５０９を配置している点である。
【００５６】
図１２は、本実施形態におけるバーチャルスライド装置５の構成を示した概略図である。図示する例では、バーチャルスライド装置５は、ステージ１０２と、ステージ駆動部１０３と、光源１０４と、対物レンズ１０５と、ハーフミラー１０６と、撮像素子１０７と、ピンホール１０８と、カラーセンサ１１０と、撮像制御部１１１と、ムラ補正部１１２と、補正値記憶部１１３と、貼り合わせ情報生成部１１４と、画像ファイル生成部１１５と、光ファイバ５０９（拡散光学系）を備える。なお、例えば、対物レンズ１０５と、ハーフミラー１０６と、ピンホール１０８と、光ファイバ５０９とが、請求項に係る光学系に相当する。
【００５７】
ステージ１０２と、ステージ駆動部１０３と、光源１０４と、対物レンズ１０５と、ハーフミラー１０６と、撮像素子１０７と、ピンホール１０８と、カラーセンサ１１０と、撮像制御部１１１と、ムラ補正部１１２と、補正値記憶部１１３と、貼り合わせ情報生成部１１４と、画像ファイル生成部１１５とは、第１の実施形態における各部と同様である。光ファイバ５０９は、入射した光を拡散して（均一に混ぜて）カラーセンサ１１０の受光面に導入する。この構成により、カラーセンサ１１０の視野範囲は第２の領域となる。
【００５８】
なお、光ファイバ５０９は、拡散度を大きくして光を均一に混ぜようとすると、光ファイバ５０９の長さが長くなる。しかしながら、本実施形態によれば、ムラ補正部１１２は、カラーセンサ１１０が取得したスペクトル情報のムラを補正する。また、画像ファイル生成部１１５は、ムラ補正部１１２がムラを補正したスペクトル情報に基づいて、撮像素子１０７が撮像した部分画像の色補正を行う。これにより、光ファイバ５０９の長さが短く、光ファイバ５０９による光の拡散にムラがあったばあいにおいても、スペクトル情報をより高精度に取得することができる。従って、拡散光学系である光ファイバ５０９の構成をより簡便な構成としても、スペクトル情報をより高精度に取得して画像の色再現性を向上することができる。
【００５９】
以上、この発明の第１の実施形態から第５の実施形態について図面を参照して詳述してきたが、具体的な構成はこの実施形態に限られるものではなく、この発明の要旨を逸脱しない範囲の設計等も含まれる。
【符号の説明】
【００６０】
１〜５・・・バーチャルスライド装置、１０１・・・サンプル、１０２・・・ステージ、１０３・・・ステージ駆動部、１０４・・・光源、１０５・・・対物レンズ、１０６・・・ハーフミラー、１０７・・・撮像素子、１０８・・・ピンホール、１０９・・・結像レンズ、１１０・・・カラーセンサ、１１１・・・撮像制御部、１１２・・・ムラ補正部、１１３・・・補正値記憶部、１１４・・・貼り合わせ情報生成部、１１５・・・画像ファイル生成部、２０９・・・拡散板、３０９・・・ライトパイプ、４０９・・・フライアイレンズ光学系、５０９・・・光ファイバ、８０１〜８０３・・・カラーチャート、１１０１，１１０１−１〜１１０１−１６・・・カラーフィルタ、１１０２・・・受光素子、１２０１−１〜１２０１−４・・・カラーフィルタ群
【図１】
2013246045.tif 000003
【図２】
2013246045.tif 000004
【図３】
2013246045.tif 000005
【図４】
2013246045.tif 000006
【図５】
2013246045.tif 000007
【図６】
2013246045.tif 000008
【図７】
2013246045.tif 000009
【図８】
2013246045.tif 000010
【図９】
2013246045.tif 000011
【図１０】
2013246045.tif 000012
【図１１】
2013246045.tif 000013
【図１２】
2013246045.tif 000014
【図１３】
2013246045.tif 000015
【図１４】
2013246045.tif 000016